(57)【特許請求の範囲】
【請求項１】
木型に経木を１層又は２層に巻きつけて接着剤で接着して内芯を形成し、さらに該内芯に経木を２層又は３層に重ねて接着剤で接着して外芯を形成し、さらに該外芯に樹皮を膠により貼着して単一の輪筒を形成する工程と、前記工程を用いて前記単一の輪筒を複数の樹皮で形成する工程と、このようにして形成された前記内芯及び前記外芯を木型から外し、前記外芯を切断して蓋部及び胴部を形成する工程と、さらに前記胴部を複数に分割切断して複数の輪筒を形成する工程と、それぞれの樹皮で形成された輪筒の１つを選択して順に前記内芯に挿入して接着剤で接着して積重ね構造の胴部を形成する工程と、このようにして形成された胴部上部側の内芯にその他の樹皮の蓋部を挿入することにより茶筒が形成される工程と、からなることを特徴とする輪筒の製造方法。
【請求項２】
前記胴部は、直線状又は斜線状に切断した輪筒を組み合わせて形成することを特徴とする請求項１記載の輪筒の製造方法。
【請求項３】
前記樹皮として、ウォールナット、メープル、チェリー、桜皮のいずれかからなることを特徴とする請求項１記載の輪筒の製造方法。
【発明の詳細な説明】
【技術分野】
【０００１】
本発明は、木型に合わせて芯を作り、その上に樺を貼り付けて筒状のものを作る「型もの」技法による輪筒（わづつ）の製造方法に関する。
【背景技術】
【０００２】
従来、茶筒のような円筒状容器は、木質材を切削加工して円筒体を形成し、この円筒体の内外に山桜の皮を貼り付けて形成していたが、安価に製作するために合成樹脂を利用した円筒状桜皮容器が知られている（特許文献１を参照）。
この公知技術は、選択された外形の底板の表面に桜皮を貼着し、該底板の周縁上に厚肉の合成樹脂製胴輪を接着し、該胴輪の外周面に装飾の削成加工を施すと共に周面に桜皮を貼着してなる円筒状桜皮容器である。
この円筒状桜皮容器は、胴輪の製作コストが低減されるので安価な製品として提供できるが、単一の樺を胴輪の表面に貼り付けるものであったため、装飾性に劣るものであった。
【０００３】
また、桜皮の皮目部分が皮を削った際に生じる欠落部分によって、商品としての価値を損なうことなく、また貴重な桜皮を余すことなく使用できる樺細工品の製造方法が知られている（特許文献２を参照）。
この公知技術は、下地材に桜皮を貼着する樺細工品において、桜皮の皮目部分が皮を削った際に欠落する部分及び陥没した節目等の凹部に摺漆を施し、該摺漆の粘着力を利用し金粉、銀粉等の装飾粉体を摺漆表面に付着させ、再度摺漆による塗着を繰り返して、欠落部分ならびに陥没した節目等の凹部を埋めるように表現し、美観を損なわないようにした樺細工品の製造方法である。
この樺細工品の製造方法は、桜皮の皮目部分が皮を削った際に欠落する部分及び陥没した節目等の凹部を有する桜皮を有効利用できるものであるが、単一の樺を胴輪の表面に貼り付けるものであったため、装飾性に劣るものであった。
【先行技術文献】
【特許文献】
【０００４】
【特許文献１】実開平１−１３７８２４号公報
【特許文献２】特開２００３−１８２２９９号公報
【発明の概要】
【発明が解決しようとする課題】
【０００５】
本発明は、所定幅でカットした多種の樹皮を使用した輪筒を組み合わせて茶筒の胴輪を形成し、様々な木のグラデーションを現すことができる輪筒の製造方法を提供することを目的とする。
【課題を解決するための手段】
【０００６】
本発明の輪筒の製造方法は、木型に経木を１層又は２層に巻きつけて接着剤で接着して内芯を形成し、さらに該内芯に経木を２層又は３層に重ねて接着剤で接着して外芯を形成し、さらに該外芯に樹皮を膠により貼着して単一の輪筒を形成する工程と、前記工程を用いて前記単一の輪筒を複数の樹皮で形成する工程と、このようにして形成された前記内芯及び前記外芯を木型から外し、前記外芯を切断して蓋部及び胴部を形成する工程と、さらに前記胴部を複数に分割切断して複数の輪筒を形成する工程と、それぞれの樹皮で形成された輪筒の１つを選択して順に前記内芯に挿入して接着剤で接着して積重ね構造の胴部を形成する工程と、このようにして形成された胴部上部側の内芯にその他の樹皮の蓋部を挿入することにより茶筒が形成される工程と、からなるものである。
【発明の効果】
【０００７】
本発明の輪筒の製造方法は、木型に合わせて芯を作り、その上に樹皮を貼り付けて筒状のものを作る「型もの」技法を利用して、所定幅でカットした多種の樹皮を使用した輪筒を組み合わせて複数パターンの茶筒の胴輪を形成し、様々な木のグラデーションを現すことができるため、装飾効果が絶大である。
【図面の簡単な説明】
【０００８】
【図１】本発明の輪筒の製造方法により製作された４パターンの茶筒の正面図である。
【図２】本発明の輪筒の製造方法を説明するための説明斜視図である。
【図３】胴部となる輪筒の分解斜視図である。
【図４】完成された胴部の斜視図である。
【図５】他のパターンで製作された茶筒の概略斜視図である。
【発明を実施するための形態】
【０００９】
本発明の輪筒の製造方法により製作される茶筒は、様々な木のグラデーションを現す多種の、本実施例では４種類の、ウォールナット、メープル、チェリー、桜皮（山桜の樹皮）を上下に積重ねたような外表面を有し、大きく蓋部と胴部とに分けられる。図１に、そのようなグラデーションを示す４パターン（ａ）〜（ｄ）の茶筒を示す。
図１（ａ）は、前記蓋部１がウォールナット３、前記胴部２が３層のメープル４、チェリー５、桜皮６となっており、以下同様に、図１（ｂ）は、前記蓋部１がチェリー５、前記胴部２が３層のウォールナット３、桜皮６、メープル４、以下同様に、図１（ｃ）は、前記蓋部１がメープル４、前記胴部２が３層の桜皮６、ウォールナット３、チェリー５、以下同様に、図１（ｄ）は、前記蓋部１が桜皮６、前記胴部２が３層のチェリー５、メープル４、ウォールナット３となっている。
【００１０】
次に、本発明の輪筒の製造方法の一実施例を添付図面に基づいて、以下に説明する。
先ず、最初に４種類の樹皮を有する単一の輪筒をそれぞれ４個製作するが、図２においては、桜皮６の場合の例について説明する。
図２（ａ）の斜視図に示すように、円筒状木型７にサワクルミ（柳の一種）の経木を１層又は２層に巻きつけて接着剤で接着して円筒状内芯８を形成し、さらに前記内芯８に前記経木を２層又は３層に重ねて接着剤で接着して円筒状外芯９を形成し、さらに前記外芯９に桜皮６を膠（にかわ）により貼着して単一の輪筒を形成する。なお、前記外芯９と前記桜皮６は膠により貼着しているが、前記内芯８と前記外芯９とは接着剤で接着していない。
図２（ｂ）のＡ部拡大断面図に示すように、最内側に内芯８、中側に外芯９、最外側に桜皮６の３層構造となっている。
このようにして形成された前記内芯８及び前記外芯９を木型７から外して、前記外芯９は前記蓋部１及び前記胴部２を形成するように横断方向に水平直線状に切断する。
さらに、前記胴部２は、他の樹皮と組み合わせて使用されるため、さらに３分割にされる。すなわち、前記蓋部１と胴部２となる３分割された輪筒１０，１１，１２とが形成される。
前記桜皮６と同様に、図示していないがウォールナット３、メープル４、チェリー５につても、前記外芯９は蓋部１及び胴部２となる３分割された輪筒を製作する。
【００１１】
次に、図３の分解斜視図に示すように、前記外芯９をそれぞれのメープル４、チェリー５、桜皮６の樹皮で形成された輪筒１０，１１，１２の１つを選択して前記内芯８に挿入する。なお、ウォールナット３は、図示していないが蓋部１として利用される。
図１（ａ）に示す前記蓋部１がウォールナット３、前記胴部２がメープル４、チェリー５、桜皮６に対応しており、前記内芯８に桜皮６の輪筒１２、チェリー５の輪筒１１、メープル４の輪筒１０を順に挿入して接着剤で接着して前記胴部２を形成する。
このようにして形成された胴部は、図４の斜視図に示しており、前記内芯８にウォールナット３の蓋部１を挿入すると、図１（ａ）に示す茶筒が形成される。
同様にして残りの輪筒を製作することにより、図１（ｂ）、図１（ｃ）、図１（ｄ）に示す茶筒が製作される。
したがって、本実施例では４種類の樹皮を使用したので、４パターンのグラデーションを有する茶筒が形成されるが、樹皮の種類に応じて各種パターンが形成される。
【００１２】
本実施例では、前記胴部２を水平直線状に３分割に切断したが、これに限らず、２乃至複数に分割することもできるし、前述した輪筒の製造方法により、図５（ａ）、図５（ｂ）、図５（ｃ）に示すような斜線状に切断した輪筒を組み合わせて茶筒を形成することも可能である。
【符号の説明】
【００１３】
１  蓋部
２  胴部
３  ウォールナット（樹皮）
４  メープル（樹皮）
５  チェリー（樹皮）
６  桜皮（山桜）
７  木型
８  内芯
９  外芯
１０  輪筒
１１  輪筒
１２  輪筒
【図１】
0005491286.tif 000002
【図２】
0005491286.tif 000003
【図３】
0005491286.tif 000004
【図４】
0005491286.tif 000005
【図５】
0005491286.tif 000006